(57)【特許請求の範囲】
【請求項１】
吸排気制御手段と圧空噴出手段とよりなり、吸排気制御手段は、圧空噴出手段に圧空を送付する圧空送付用ファンと、前記圧空噴出手段から噴出した噴気流を吸引する局所吸引口及びそれに連なる排気手段とを設けてなり、圧空噴出手段は、吸排気制御手段の左右両側縁下部に突出した圧空ケースと、該圧空ケースの先端間に渡って設けた噴出ノズルとよりなり、圧空ケース及び噴出ノズルにはそれぞれ適宜間隔の複数の噴気孔を、各噴気孔から噴出した噴気流が作業台の作業面を囲って噴出し局所吸引口に吸引されるよう設けたことを特徴とする作業机上に載置可能な局所排気装置。
【発明の詳細な説明】
【技術分野】
【０００１】
本発明は、作業机の上に置いた作業台の作業面上で発生した有害気体を、その作業台の周囲で作業している作業員に吸引させることなく、作業台上から除去することを可能にした局所排気装置に関する。
【背景技術】
【０００２】
局所排気装置内の作業台で作業を行う場合、作業台の周囲を囲ってその内部を作業空間とし、天井部もしくは背面部を排気口とし、作業空間で発生した有害気体を排気口側に吸い込ませ、作業者への安全を確保しているドラフトチャンバーが知られているが、（特許文献１）この装置は作業空間の空気を排気するための排気風量は多いものとなる。また、作業面上での作業性を向上させる目的で、左右の囲いを取外し使われる場合がある。特にホルマリンを対象とした排気装置などが多い。このように、作業空間を完全に密閉した状態としないような場合でも、例えば作業時に作業空間の囲いを開放し作業空間内に手を差し延べるような状態で作業を行えば、作業により例えば人体に悪影響のある気体が生ずるような場合、作業者がそれを吸引してしまうというような事態が生ずる恐れがあった。
【先行技術文献】
【特許文献】
【０００３】
【特許文献１】特開平５−７６７８１号公報
【発明の概要】
【発明が解決しようとする課題】
【０００４】
本発明は、作業面上において、例えばホルマリン等の有害気体が発生する作業を行うような際に、その作業を行う作業者が、作業性を向上させると共に発生する有害気体或いは作業面上の局所に滞留する有害気体を吸い込むことのないようにすることを目的とし、作業空間左右の囲いを無くし、作業可能域を小さくすることなく、排気風量を少なくした有害気流排気装置を開発した。即ち、作業面前方に小さな開口を数ヶ所設けそこから背面の排気口方向に気流を流し、作業面上から発生した有害気流を速やかに排気口まで吹き飛ばすようにすることで少排気風量を可能としている。そして、作業面前方の開口部（ノズル）からの気流は左右の開口からは作業面と平行に吹き出され、その他の開口部からは１５°〜４５°までの角度のついた気流が排気口に吹きだされる。作業者と有害気体の雰囲気とを遮断する噴出気流を有害気体と作業者との間に配している。
【課題を解決するための手段】
【０００５】
請求項１記載の本発明の局所排気装置は、吸排気制御手段と圧空噴出手段とよりなり、吸排気制御手段は、圧空噴出手段に圧空を送付する圧空送付用ファンと、前記圧空噴出手段から噴出した噴気流を吸引する局所吸引口及びそれに連なる排気手段とを設けてなり、圧空噴出手段は、吸排気制御手段の左右両側縁下部に突出した圧空ケースと、該圧空ケースの先端間に渡って設けた噴出ノズルとよりなり、圧空ケース及び噴出ノズルにはそれぞれ適宜間隔の複数の噴気孔を、各噴気孔から噴出した噴気流が作業台の作業面を囲って噴出し局所吸引口に吸引されるよう設けてなる。
【発明の効果】
【０００６】
本発明装置は、吸排気制御手段と圧空噴出手段とよりなり、吸排気制御手段は、圧空噴出手段に圧空を送付する圧空送付用ファンと、前記圧空噴出手段から噴出した噴気流を吸引する局所吸引口及びそれに連なる排気手段とを設けてなり、圧空噴出手段は、吸排気制御手段の左右両側縁下部に突出した圧空ケースと、該圧空ケースの先端間に渡って設けた噴出ノズルとよりなり、圧空ケース及び噴出ノズルにはそれぞれ適宜間隔の複数の噴気孔を、各噴気孔から噴出した噴気流が作業台の作業面を囲って噴出し局所吸引口に吸引されるよう設けたため、圧空噴出手段と吸排気制御手段は単に作業机上に置くだけで容易に使用することが可能となる。
【０００７】
本発明装置は、圧空噴出手段には作業台の作業面上を越えて吸排気制御手段に向け気流を噴出する複数の小孔を列設してなる噴出ノズルを配し、吸排気制御手段には、圧空噴出手段に圧空を送付するファンと、前記圧空噴出手段から噴出した気流を吸引する吸引口及びそれに連なる排気手段を設けてなるものであるため、作業者と作業台の作業面上の有害気体を含む雰囲気とを容易に隔離出来ると共に有害気体をスムーズに排出できる。
【０００８】
本発明装置は、噴出手段から噴出した気流により作業者と有害物質とを隔離しており、従来の装置の如き囲いを必要としていないので、検査や作業などの動作を行い易い。
【図面の簡単な説明】
【０００９】
【図１】本発明装置の側面図。
【図２】同平面図。
【図３】同正面図。
【発明を実施するための形態】
【００１０】
本発明実施の一例を図面と共に次に説明する。
本発明局所排気装置１は、吸排気制御手段２と斜め上方への噴気を行う圧空噴出手段３とを有し、吸排気制御手段２と圧空噴出手段３とを作業台４を囲うように配してなり、これらを適宜作業机１７上に置いて使用する。
吸排気制御手段２はダクトを兼ねた函体をなし、該函体内部を２区画に分け、その第１の区画５ａの内部には圧空噴出手段３への圧空送付用のファン６を設けている。７は函体内部への外気の吸入口である。第２の区画５ｂには局所吸引用のファン８を有し、吸排気制御手段２の函体に設けられた局所吸引口（パンチング、ルーバーが設けられている)９から作業面４ａ上のエアを吸引可能としている。１９はフィルターで、前記局所吸引口９とファン８間のエア流路内に設けられ、フィルター１９と局所吸引用ファン８と排出ノズル１４により排気手段を構成している。
【００１１】
圧空噴出手段３は、吸排気制御手段２の左右両側縁下部に突出した圧空ケース１１，１１と、該圧空ケース１１，１１の先端間に渡って設けた噴出ノズル１３よりなり、圧空ケース１１，１１には適宜間隔の複数の噴気孔１０を、噴出ノズル１３には同様の噴気孔１２をそれぞれ列設している。前記構成により圧空噴出手段３は、噴気孔１０を有する圧空ケース１１と、噴気孔１２を有する噴出ノズル１３とにより作業台４の作業面４ａを囲い作業机１７上に置くことを可能にしている。
【００１２】
前記噴気孔１０，１２は、丸穴，角穴など噴気量に応じ適宜選択し、またその噴出方向も、作業前面の噴出ノズル１３の噴気孔１２からの作業面と平行に吹き出され、その他の圧空ケース１１からは１５°〜４５°の角度のついた気流が有害気体吸引口９に噴出される。
上記噴出角度の変更は、例えば、上記圧空噴出手段３において、圧空ケース１１と噴出ノズル１３とを旋回自在な嵌め合わせとしておいて圧空ケース１１に対して噴出ノズル１３の噴気孔１２の向きを適宜レバー操作等で変更することが出来るようにすれば作業机１７の作業面４ａ上の作業エリアを拡大或は縮少することが可能となる。或は個々の噴気孔１０，１２のみを固定された支持部材に対し旋回させることで噴気流の向きを変えるようにしても良い。１４は、函体の第２の区画５ｂ内の有害気体吸引用のファンに設けた排気ダクトである。
【００１３】
本発明局所排気装置１を使用する際は適宜必要な面積の机を用意し、その上に必要台数の本発明装置１を並置する。そして、各装置１の吸排気制御手段２の排気ダクト１４を集結し、各局所排気装置１の排気を総括して排気ダクト端末を室外に導き排気を室外にした上で、各装置１の操作スイッチ１５を作動させる。
【００１４】
上記操作によりファン６は回転し、吸排気制御手段２の外気吸入口７を経て外気を第１の区画５ａ内に吸引し、吸引された外気はファン６により、第１の区画５ａと一体に連続して設けられている圧空ケース１１を経て噴出ノズル１３に送られ、圧空ケース１１と噴出ノズル１３の噴気孔１０，１２から噴気流１０ａ，１２ａとなって噴出する。
【００１５】
噴気孔１０，１２から噴出された気流は噴気流１０ａ，１２ａとなり、作業机４の作業面４ａの端縁の位置から水平或は斜め上方に向けて噴出しルーバー等で被われた吸引口９に局所吸引用ファン８により吸引される。この際に作業面４ａ上で発生し、作業面上の作業空間１８内に滞溜している有害気体は吸引口９に引き込まれることになり、前記有害物質等は噴気流１０ａよりも上位に出ることなくすべて噴気流１０ａの下位において作業空間１８内に滞溜することになる。すべての噴気流１０ａ，１２ａは局所吸引用ファン８により吸引口９内に吸引され、ガス除去フィルター１９，局所吸引用ファン８を通り排気ダクト１４を経る排気手段により排気される。
【００１６】
ここで、作業空間１８は、机の作業面４ａ，吸排気制御手段２，噴気流１０ａで囲まれた断面三角形の空間となるが、側面部分は開放状態であるため図２に示す如く両側側面の三角形状部位から両手を作業室間内に入れて作業を行ない得、また作業空間にあっては気体は吸引口９から吸引されているので作業空間の有害気体が外部に流出することはなく、側面部位からの有害気体の漏洩は防止出来る。
【００１７】
上記の気流は作業面４ａ上の作業空間１８内に有害気体等を封じ込める作用をすると共に装置外に吸引誘導しているので装置外への有害気体等の散逸は生じないが、吸排気制御手段２の第１，第２の区画内にガス除去フィルター等を配し有害気体を除去することも可能である。
【産業上の利用可能性】
【００１８】
本発明は、作業机の作業面と作業者を挟んで、作業者側に配した噴出手段と、前記噴出手段に対位して作業台の反作業者側に配した吸排気制御手段とを、圧空ケースで結合してなるため、これら一体の部材を適宜作業机上に載置することで容易に隔離された作業空間を作ることが出来る。
【符号の説明】
【００１９】
１  局所排気装置
２  吸排気制御手段
３  圧空噴出手段
４  作業台
４ａ  作業面
５ａ  第１の区画
５ｂ  第２の区画
６  圧空噴出用ファン（圧空送付用ファン）
７  外気吸入口
８  有害気体吸引用のファン
９  局所吸引口（パンチング、ルーバー）
１０，１２  噴気孔
１０ａ，１２ａ  噴気流
１１  圧空ケース
１３  噴出ノズル
１４  排気ダクト
１５  操作スイッチ
１７  作業机
１８  作業空間
１９  ガス除去フィルター
Ｍ  作業者
【図１】
0004998754.tif 000002
【図２】
0004998754.tif 000003
【図３】
0004998754.tif 000004